(57)【要約】【課題】吹き込み還元材を吹き込む高炉操業において、吹き込みにかかる吹き込み還元材の燃焼位置を正確に推定できる方法および送風羽口を提案する。【解決手段】送風羽口の羽口本体の通路内または該羽口本体につながるブローパイプの通路内に先端部が位置するランスを通して吹き込み還元材を高炉内へ吹き込む高炉操業において、該ランスによる吹き込み還元材の吹き込み中に、吹き込み還元材の吹き込み方向に沿う少なくとも２箇所において燃焼火炎の放射光の発光強度を計測し、その計測された発光強度に基づいて吹き込み還元材の燃焼位置を推定する。【選択図】図１
2018016849.tif 000002
【特許請求の範囲】
【請求項１】
送風羽口の羽口本体の通路内または該羽口本体につながるブローパイプの通路内に先端部が位置するランスを通して吹き込み還元材を高炉内へ吹き込む高炉操業において、
該ランスによる吹き込み還元材の吹き込み中に、吹き込み還元材の吹き込み方向に沿う少なくとも２箇所において燃焼火炎による放射光の発光強度を計測し、その計測された発光強度に基づいて吹き込み還元材の燃焼位置を推定することを特徴とする高炉の送風羽口における吹き込み還元材の燃焼位置推定方法。
【請求項２】
前記発光強度が吹き込み還元材の燃焼によって発生するＯＨラジカル、ＣＨラジカルまたはＣ２ラジカルの自発光に由来する発光強度であり、該発光強度にピークが認められた場合に、そのピークが認められた計測箇所に吹き込み還元材の燃焼位置があると推定することを特徴とする請求項１に記載した高炉の送風羽口における吹き込み還元材の燃焼位置推定方法。
【請求項３】
前記吹き込み還元材の燃焼火炎による放射光の発光強度を計測する計測箇所のうちの少なくとも一箇所は、前記送風羽口の先端外側に位置するものであることを特徴とする請求項１または２に記載した高炉の送風羽口における吹き込み還元材の燃焼位置推定方法。
【請求項４】
送風羽口の羽口本体の通路内または該羽口本体につながるブローパイプの通路内に先端部が位置するランスを通して吹き込み還元材を高炉内へ吹き込む高炉操業において、
該ランスによる吹き込み還元材の吹き込み中に燃焼火炎による放射光の発光強度を計測する計測箇所を予め設定しておき、
該ランスの吹き込み初期位置において吹き込み還元材を吹き込んだ場合と、該ランスをその軸芯に沿ってスライドさせて該ランスのランス先端から計測箇所に至るまでの相対距離を少なくとも１回変更して吹き込み還元材を吹き込んだ場合のそれぞれにつき、該発光強度を計測し、その計測された発光強度に基づいて吹き込み還元材の燃焼位置を推定することを特徴とする高炉の送風羽口における吹き込み還元材の燃焼位置推定方法。
【請求項５】
前記発光強度が吹き込み還元材の燃焼によって発生するＯＨラジカル、ＣＨラジカルまたはＣ２ラジカルの自発光に由来する発光強度であり、該発光強度にピークが認められた場合には、そのピークが認められた計測箇所に吹き込み還元材の燃焼位置が存在していると推定することを特徴とする請求項４に記載した高炉の送風羽口における吹き込み還元材の燃焼位置推定方法。
【請求項６】
前記吹き込み還元材の燃焼火炎による放射光の発光強度を計測する計測箇所は、前記送風羽口の通路内または該送風羽口の先端外側に設定されたものであることを特徴とする請求項４または５に記載した高炉の送風羽口における吹き込み還元材の燃焼位置推定方法。
【請求項７】
前記吹き込み還元材が、微粉炭、廃プラスチック、天然ガス、プロパンガス、コークス炉ガス、重油、軽油、菜種油またはタールである請求項１〜６のいずれか１項に記載した高炉の送風羽口における吹き込み還元材の燃焼位置推定方法。
【請求項８】
請求項１〜３のいずれか１項または請求項７に記載した方法の実施に使用する送風羽口であって、
熱風の吹き込み口を形成する羽口本体と、該羽口本体につながるブローパイプと、該羽口本体の通路内または該ブローパイプの通路内に先端部が位置し該羽口本体の吹き込み口を通して吹き込み還元材を高炉内へ吹き込むランスとを備え、
前記羽口本体および／またはブローパイプは、その内外につながるとともに、吹き込み還元材の吹込み中に燃焼火炎による放射光の発光強度を計測する少なくとも２つの貫通孔を有することを特徴とする送風羽口。
【請求項９】
請求項４〜７のいずれか１項に記載した方法の実施に使用する送風羽口であって、
熱風の吹き込み口を形成する羽口本体と、該羽口本体につながるブローパイプと、該羽口本体の通路内または該ブローパイプの通路内に先端部が位置し該羽口本体の吹き込み口を通して吹き込み還元材を高炉内へ吹き込むランスとを備え、
前記羽口本体および／またはブローパイプは、その内外につながるとともに、吹き込み還元材の吹き込み中に燃焼火炎による放射光の発光強度を計測する少なくとも１つの貫通孔を有し、前記ランスは、その軸芯に沿う向きのスライドを可能とする移動機構を有することを特徴とする送風羽口。
【発明の詳細な説明】
【技術分野】
【０００１】
本発明は、高炉の送風羽口における吹き込み還元材の燃焼位置推定方法およびその方法の実施に使用して好適な送風羽口に関するものである。ここに、吹き込み還元材とは、微粉炭、廃プラスチック、天然ガス、プロパンガス、コークス炉ガス、あるいは重油、軽油、菜種油あるいはタール等をいうものとする。
【背景技術】
【０００２】
近年、高炉操業においては、高炉でのコークスの消費を抑えるために、吹き込み還元材を用いた操業が実用化されている。
【０００３】
高炉操業で用いられる吹き込み還元材は、送風羽口を構成するブローパイプおよび羽口本体を介して熱風とともに高炉内へ供給されるものであって、ブローパイプに設けられた吹き込み還元材吹き込み用ランスから吹き込み還元材を噴出させることにより送風羽口内を流れる熱風に吹き込むようになっている。
【０００４】
ランスを通して吹き込まれた吹き込み還元材は、高炉の送風羽口および高炉内のレースウエイと呼ばれる燃焼空間で燃焼され、コークスの代替として機能する。ところで、送風羽口におけるガス流速は、一般に２００ｍ／秒にも及ぶ高速であって、吹き込まれる吹き込み還元材が熱風中の酸素と反応可能な時間、すなわち、吹き込み還元材の燃焼可能な時間は極めて短い（２０マイクロ秒程度といわれている）ことから、吹き込みにかかる吹き込み還元材をコークスの代替として有効活用を図るには、この短時間で燃焼させる必要があるところ、吹き込み還元材の吹き込み量を増していくと、吹き込み還元材の燃焼率が低下してレースウエイに至るまでに吹き込み還元材が燃焼しきれず、未燃焼のチャー（以下、これを未燃チャーという）として高炉内に残留することがあった。
【０００５】
上記未燃チャーは、ソリューションロス反応により高炉内で消費される分もあるが、高炉内消費量には限界値が存在するので、消費限界値以上に未燃チャーが発生すると、炉況不安定や生産性低下の原因となる。
【０００６】
具体的には、限界値以上の未燃チャーの発生は、未燃チャーがダストとして炉頂から排出されて還元材比の上昇を招き、さらには、未燃チャーが炉芯や溶融帯に蓄積すると、炉芯または溶融帯の通気性および通液性を阻害することになる。よって、送風羽口における吹き込み還元材の燃焼状態を観測することは高炉の安定操業において重要となる。
【０００７】
微粉炭の燃焼状態を観測する従来方法として、たとえば、特許文献１には、羽口背面の覗き窓から応答速度１ｍｓより速い輝度センサーを用いて燃焼帯を観測し、出力信号低下の数をカウントすることにより燃焼帯の燃焼状態を検知する方法が提案されている。
【０００８】
また、特許文献２には、羽口背面の覗き窓に放射温度カメラを配置し、ある温度以下の領域の面積から微粉炭の燃焼状態を推定する方法が、また、特許文献３には、各羽口の羽口温度、羽口先端の輝度から微粉炭の燃焼効率を推定し、微粉炭および酸素の流量を決定する方法が、さらに、特許文献４には、羽口背面の覗き窓に放射温度カメラを配置し、温度の時系列パワースペクトルが最大となる周波数からレースウエイの崩壊周期を算出し、該崩壊周期から微粉炭の燃焼率を推定する方法が提案されている。
【先行技術文献】
【特許文献】
【０００９】
【特許文献１】特開昭６１−４４１１３号公報
【特許文献２】特開平５−１７８０８号公報
【特許文献３】特開平５−２２２４１８号公報
【特許文献４】特開平７−３０５１０５号公報
【発明の概要】
【発明が解決しようとする課題】
【００１０】
しかしながら、上記従来法は、いずれのものも羽口背面の覗き窓からカメラを用いて輝度もしくは放射温度を観測して微粉炭の燃焼状態を推定する方法であり、計測器の視線と羽口内のガス流れの向きが同方向であることから、羽口内のどの位置の発光を観測しているのかを特定することが困難な状況にあった。
【００１１】
このため、微粉炭の燃焼に伴う強い発光や高い温度領域が観察されたとしても、それが送風羽口の上流側で起こっているのか、レースウエイの奥側で起こっているのかを判断することができない。
【００１２】
送風羽口からの微粉炭等の吹き込み還元材の吹き込みにおいては吹き込み還元材の燃焼が送風羽口の先端付近で起こるのが適切である。すなわち、吹き込み還元材の燃焼が羽口の上流側で起こってしまうと羽口の損傷を招き、反対に羽口の下流側で起こってしまうと燃焼率の低下を招くため好ましくない。よって、吹き込み還元材の燃焼状況を監視するに際しては、羽口内のガス流れの向きに対してどの位置で燃焼が起こっているのかを知ることが重要になる。
【００１３】
本発明の課題は、吹き込み還元材の吹き込みを行う高炉操業において、吹き込み還元材の燃焼位置をより正確に把握できる推定方法およびその方法に使用する送風羽口を提案するところにある。
【課題を解決するための手段】
【００１４】
本発明は、送風羽口の羽口本体の通路内または該羽口本体につながるブローパイプの通路内に先端部が位置するランスを通して吹き込み還元材を高炉内へ吹き込む高炉操業において、該ランスによる吹き込み還元材の吹き込み中に、吹き込み還元材の吹き込み方向に沿う少なくとも２箇所において燃焼火炎による放射光の発光強度を計測し、その計測された発光強度に基づいて吹き込み還元材の燃焼位置を推定することを特徴とする高炉の送風羽口における吹き込み還元材の燃焼位置推定方法である。
【００１５】
前記発光強度は、吹き込み還元材の燃焼によって発生するＯＨラジカル、ＣＨラジカルまたはＣ２ラジカルの自発光に由来する発光強度であり、該発光強度にピークが認められた場合には、そのピークが認められた計測箇所に吹き込み還元材の燃焼位置が存在していると推定する。
【００１６】
上記の推定方法においては、前記吹き込み還元材の燃焼火炎による放射光の発光強度を計測する計測箇所のうちの少なくとも一箇所を、前記送風羽口の先端外側に位置するものとするのが好ましい。
【００１７】
また本発明は、送風羽口の羽口本体の通路内または該羽口本体につながるブローパイプの通路内に先端部が位置するランスを通して吹き込み還元材を高炉内へ吹き込む高炉操業において、該ランスによる吹き込み還元材の吹き込み中に燃焼火炎による放射光の発光強度を計測する計測箇所を予め設定しておき、該ランスの吹き込み初期位置において吹き込み還元材を吹き込んだ場合と、該ランスをその軸芯に沿ってスライドさせて該ランスのランス先端から計測箇所に至るまでの相対距離を少なくとも１回変更して吹き込み還元材を吹き込んだ場合のそれぞれにつき、該発光強度を計測し、その計測された発光強度に基づいて吹き込み還元材の燃焼位置を推定することを特徴とする高炉の送風羽口における吹き込み還元材の燃焼位置推定方法である。
【００１８】
上記発光強度は、吹き込み還元材の燃焼によって発生するＯＨラジカル、ＣＨラジカルまたはＣ２ラジカルの自発光に由来する発光強度であり、その計測された発光強度にピークが認められた場合には、そのピークが認められた計測箇所に吹き込み還元材の燃焼位置が存在していると推定する。
【００１９】
上記方法において、前記吹き込み還元材の燃焼火炎による放射光の発光強度を計測する計測箇所は、前記送風羽口の通路内または該送風羽口の先端外側に設定することができる。
【００２０】
吹き込み還元材としては、還元材として働く燃焼性の還元材であれば何でもよく、微粉炭のような固体のみに限定されない。例えば微粉炭、廃プラスチック、天然ガス、プロパンガス、コークス炉ガス、重油、軽油、菜種油またはタールなどを用いることができる。
【００２１】
また、本発明は、熱風の吹き込み口を形成する羽口本体と、該羽口本体につながるブローパイプと、該羽口本体の通路内または該ブローパイプの通路内に先端部が位置し該羽口本体の吹き込み口を通して吹き込み還元材を高炉内へ吹き込むランスとを備え、前記羽口本体および／またはブローパイプは、その内外につながるとともに、吹き込み還元材の吹込み中に燃焼火炎による放射光の発光強度を計測する少なくとも２つの貫通孔を有することを特徴とする送風羽口である。
【００２２】
さらに、本発明は、熱風の吹き込み口を形成する羽口本体と、該羽口本体につながるブローパイプと、該羽口本体の通路内または該ブローパイプの通路内に先端部が位置し該羽口本体の吹き込み口を通して吹き込み還元材を高炉内へ吹き込むランスとを備え、前記羽口本体および／またはブローパイプは、その内外につながるとともに、吹き込み還元材の吹き込み中にそこを通して燃焼火炎による放射光の発光強度を計測する少なくとも１つの貫通孔を有し、前記ランスは、その軸芯に沿う向きのスライドを可能とする移動機構を有することを特徴とする送風羽口である。
【発明の効果】
【００２３】
本発明によれば、吹き込み還元材の吹き込み中に、吹き込み還元材の吹き込み方向に沿う少なくとも２箇所において燃焼火炎による放射光の発光強度、とりわけ、発生するＯＨラジカル、ＣＨラジカルまたはＣ２ラジカルの自発光に由来する発光強度を計測し該発光強度にピークが認められた場合にその計測位置で吹き込み還元材の燃焼が起こっていると推定するものであって、これによれば、吹き込み還元材の燃焼位置を正確に把握することができる。
【００２４】
また、本発明によれば、発光強度を計測する計測箇所をたとえば１箇所に固定しておき、吹き込み還元材を初期位置にて吹き込んだ場合と、吹き込み還元材を吹き込むランスをスライドさせて該ランスのランス先端から計測箇所に至るまでの相対距離を少なくとも１回変更して吹き込み還元材を吹き込んだ場合のそれぞれについて発光強度を計測することにより、吹き込み還元材の燃焼位置をランス先端からの相対距離で求めることが可能となり、正規のランス配置に対してどの位置で吹き込み還元材の燃焼が起こっているか推定することができる。
【図面の簡単な説明】
【００２５】
【図１】本発明にしたがう推定方法の実施に用いて好適な送風羽口を模式的に示した図である。
【図２】発光強度の変化状況を示した図である。
【図３】本発明にしたがう推定方法の実施に用いて好適な送風羽口の他の例を模式的に示した図である。
【図４】（ａ）〜（ｃ）は、発光強度の計測要領の説明図である。
【図５】小型燃焼炉の断面を模式的に示した図である。
【図６】発光強度とランス先端からの距離の関係を示したグラフである。
【図７】発光強度とランス先端からの距離の関係を示したグラフである。
【図８】発光強度とランス先端からの距離の関係を示したグラフである。
【図９】発光強度とランス先端からの距離の関係を示したグラフである。
【発明を実施するための形態】
【００２６】
微粉炭等の吹き込み還元材の燃焼が起こっている場所では２０００℃程度の高温・無酸素状態となるため、常温では現れないラジカルが発生する。
【００２７】
たとえば、微粉炭の燃焼場では、ＯＨラジカル、ＣＨラジカル、Ｃ２ラジカルなどが発生する。
【００２８】
このとき、これらのラジカルからは各ラジカル固有の波長の発光（自発光）が起こる（ＯＨラジカル：３０４ｎｍ、ＯＨラジカル：４３１．５ｎｍ、Ｃ２ラジカル：４７３ｎｍ、５１５ｎｍ）。
【００２９】
ラジカルの発光は、とくに燃焼反応が起こっている位置、すなわち、燃焼位置で強く発光することが知られている。
【００３０】
本発明は、ランスによる微粉炭等の吹き込み還元材の吹き込み中に、吹き込み還元材の吹き込み方向に沿う少なくとも２箇所において燃焼火炎による放射光の発光強度、とくにＯＨラジカル、ＣＨラジカルまたはＣ２ラジカルの自発光に由来する発光強度を計測し、その発光強度にピークが認められた場合には、そのピークが認められた計測箇所に吹き込み還元材の燃焼位置が存在していると推定するものである。
【００３１】
図１は、送風羽口の流路方向（吹き込み還元材の吹き込み方向）の３箇所に計測箇所（ａ点、ｂ点、ｃ点）を設定し、吹き込み還元材の燃焼によって発生するＯＨラジカル、ＣＨラジカルまたはＣ２ラジカルの自発光に由来する発光強度の計測を行う例を示した図である。図における符号１は、吹き込み還元材の吹き込み口を形成する羽口本体、２は、先端が羽口本体１の後端につながるブローパイプ（ブローパイプの後端は図示しない送風支管につながっている）、３は、先端部がブローパイプ２内に位置する吹き込み還元材吹き込み用ランス、４は、羽口本体１、ブローパイプ２の内外につながる貫通孔、５は、貫通孔４の後端（出側端）に配置され、送風羽口内において発光強度を計測する発光強度計測手段（分光装置等）である。
【００３２】
発光強度計測手段５としては、特定の波長あるいその波長近傍の発光に由来する発光強度を抽出することができるものであれば、たとえば、干渉フィルターを用いたもの、ダイクロイックミラーを用いたもの、あるいは回折格子を用いたものなど、どのような形式の分光装置を用いてもよい。
【００３３】
上掲図１に示した如き構成からなる送風羽口を用いて高炉内に吹き込み還元材の吹き込みを行うに当たり、たとえば、図２に示すような発光強度の分布が得られた場合においては、計測箇所ｂ点に吹き込み還元材の燃焼位置が存在していると推定することができる。また、いずれの計測箇所においても吹き込み還元材の発光強度の増大が認められない場合には、最も下流側に位置する計測箇所ｃ点よりもさらに下流側に吹き込み還元材の燃焼位置が存在していると推定することができる。
【００３４】
吹き込み還元材の燃焼位置がどこに存在するかを推定することができると、送風ガス（熱風）の圧力あるいは温度を適宜調整することによって吹き込み還元材の燃焼位置を制御することが可能となり、吹き込み還元材の効率的な吹込みを行い得る。また、燃焼位置の変更により送風羽口の寿命の延長を図ることもできる。
【００３５】
本発明においては２箇所の計測箇所で発光強度を計測することにより吹き込み還元材の燃焼位置を推定することができるが、計測箇所が多いほど吹き込み還元材の燃焼位置を正確に推定することが可能になる。このため、計測箇所は好ましくは３点以上とするのがよい。また、計測箇所は、図３に示すように、送付羽口の羽口本体１の先端において開口する貫通孔４′を設け、送風羽口の先端外側に設定することもできる。
【００３６】
発光強度計測手段５を配置する貫通孔４は、送風羽口の上面、下面の他、側面に設けることも可能であり、発光強度計測手段５の取り合いが許す限り多数設けることができる。
【００３７】
貫通孔４の出側端に発光強度計測手段５を配置するのが困難な場合は、該発光強度計測手段５を該貫通孔４から離れた場所に設置し光ファイバーを用いて発光を導くようにしてもよい。
【００３８】
また、ある特定の１点もしくは特定の１直線上の発光のみの発光強度を計測したい場合には、貫通孔４の入側端の前に集光レンズやカセグレンなどの光学系を配置して空間解像度をあげるのが好ましい。
【００３９】
図４（ａ）〜（ｃ）は、本発明の実施に用いて好適な送風羽口の他の実施の形態を示した図である。
【００４０】
この例は、設備の構造制約等により発光強度計測手段５を２箇所以上に設けることができない場合に、発光強度の計測箇所（予め設定された１つの計測箇所）に対してランス３をその軸方向に沿ってスライドさせてランス先端から計測箇所に至るまでの相対距離（ランス先端から観測点に至るまでの直線距離）を変更することによって発光強度を計測するものである。ランス３のスライドは、たとえば、ロッドをランス３に連結した油圧シリンダーの如き移動機構によって行うことができる。
【００４１】
かかる送風羽口において、発光強度を計測するには、送風羽口の流路方向の１箇所に計測箇所ｄ点を設定する。そして、ランス３の吹き込み初期位置において該ランス３から吹き込み還元材を吹き込んだ場合（相対距離Ｌ１）と、該ランス３をその軸芯Ｏ′に沿ってスライドさせて該計測箇所ｄ点との相対距離を少なくとも１回、例えば、相対距離Ｌ２、Ｌ３と変更させて吹き込み還元材を吹き込んだ場合のそれぞれにつき、発光強度を計測する。
【００４２】
この場合、ランス３のランス先端から計測箇所ｄ点に至るまでの相対距離と発光強度との関係がわかるので、ランス先端からどの程度離れたところで発光強度が上昇しているか把握すること可能であり吹き込み還元材の燃焼位置を推定することができる。
【００４３】
吹き込み還元材の燃焼位置は、ランス３のランス先端から計測箇所ｄ点までの相対距離で決まるので、実際の操業においては、操業条件において定まるランス先端位置を基準にして、上記の関係、すなわち、ランス３の先端から計測箇所に至るまでの相対距離と発光強度との関係から燃焼位置を求める。なお、この場合も発光強度が上昇するかどうかを観測する必要があるので、ランス３のランス先端から計測箇所ｄ点に至るまでの相対距離を、少なくとも１回、より好ましくは、２回以上変更して発光強度を計測するのがよい。
【００４４】
図４（ａ）〜（ｃ）では、ランス３のランス先端から計測箇所ｄ点に至るまでの相対距離が最も長いＬ１の位置を吹き込み還元材の吹き込み初期位置としたが、吹き込み還元材の吹き込み初期位置はランス３のランス先端から計測箇所ｄ点に至るまでの相対距離が最も短いＬ３とし相対距離がＬ２、Ｌ１となるようにランス３をスライドさせるようにしてもよく、この点についてはとくに限定されない。
【００４５】
発光強度を計測する波長としては、吹き込み還元材の燃焼火炎中に発生するラジカルの特性波長ならば何でもよい。本発明では、ＯＨラジカルに対応する３０４ｎｍ、ＣＨラジカルに対応する４３１．５ｎｍ、Ｃ２ラジカルに対応する４７３ｎｍ、５１５ｎｍなどを用いることができるが、とくに、ＯＨラジカルの３０４ｎｍまたはＣＨラジカルの４３１．５ｎｍは、急峻なピークが現れやすいので、これらを用いるのが好ましい。
【実施例】
【００４６】
内径１００ｍｍ、長さ１１８０ｍｍからなる本体部分を有しその長手方向に沿い２００ｍｍ間隔で３つの観測窓が設けられた図５に示すような小型燃焼炉（円筒型）を用い、該小型燃焼炉の上流側から速度１００ｍ／ｓ、温度１２００℃、酸素濃度４９％の熱風を吹き込むとともに、燃焼炉の軸芯に沿って配置した内径１０．９ｍｍのランスを通して微粉炭を３５ｋｇ／ｈで吹き込み、その吹き込み中に微粉炭の燃焼によって発生するＯＨラジカル、ＣＨラジカル、Ｃ２ラジカルの発光強度がどのように変化するかについて調査を行った。その結果を図６〜９に示す。なお、発光強度の計測は、ランスの先端から２００ｍｍ、４００ｍｍ、６００ｍｍに位置する観測窓（小型燃焼炉の壁部に設けられた観測窓）から行った。発光強度計測手段としてはダイクロイックミラーとバンドパスフィルターを併用したものを４組用意し、ＯＨラジカルに対応する３０４ｎｍ、ＣＨラジカルに対応する４３１．５ｎｍ、Ｃ２ラジカルに対応する４７３ｎｍと５１５ｎｍの合計４チャンネルの測定を可能とした分光装置を使用した。
【００４７】
図６〜９より明らかなように、いずれにおいてもランス先端から４００ｍｍの位置に発光強度のピークがあることが確認され（強い発光が発生）、ここで微粉炭の燃焼反応が起こっていることが推定された。
【産業上の利用可能性】
【００４８】
本発明によれば、吹き込み還元材の吹き込みを行う高炉操業において、吹き込み還元材の燃焼位置を正確に把握して吹き込み還元材の効率的な吹き込みを可能とする燃焼位置推定方法とその方法の実施に好適な送風羽口が提供できる。
【符号の説明】
【００４９】
１      羽口本体
２      ブローパイプ
３      吹き込み還元材吹き込み用ランス
４      貫通孔
５      発光強度計測手段（分光装置）
【図１】
2018016849.tif 000003
【図２】
2018016849.tif 000004
【図３】
2018016849.tif 000005
【図４】
2018016849.tif 000006
【図５】
2018016849.tif 000007
【図６】
2018016849.tif 000008
【図７】
2018016849.tif 000009
【図８】
2018016849.tif 000010
【図９】
2018016849.tif 000011